(57)【要約】      （修正有）【課題】フィルタ部の開口面積を広く確保し、フィルタ部に注いだ湯や水等の液体の滞留時間を確保し、更に支持シートの一対の脚部を所望の折曲げ角度に維持する粉状体抽出用フィルタを提供する。【解決手段】粉状体抽出用フィルタ１０のフィルタ部１１は、上面に開口部１１ｃが形成された椀状のフィルタ本体１１ａと、このフィルタ本体の開口部周縁に一体的に設けられたフランジ１１ｂとを有し、不織布の熱成形により形成される。また、支持シート１２は、フィルタ本体を挿入可能な孔１２ａと、フィルタ本体を孔に挿入した状態でフランジを受ける受け部１２ｂと、カップ１３の上端縁に載る一対の脚部１２ｃ，１２ｃとを有し、フィルタ部を支持するように構成される。更に、支持シートの孔の周囲に支持シートを受け部及び一対の脚部からなる３つの部分に折曲げ可能なミシン目又は罫線からなる複数の折曲げガイド線１２ｄが孔の縁から支持シートの外縁にわたって形成される。【選択図】図１
0003205496.tif 000002
【実用新案登録請求の範囲】
【請求項１】
上面に開口部が形成された椀状のフィルタ本体と前記フィルタ本体の開口部周縁に一体的に設けられたフランジとを有し不織布の熱成形により形成されたフィルタ部と、
前記フィルタ本体を挿入可能な孔と前記フィルタ本体を前記孔に挿入した状態で前記フランジを受ける受け部とカップの上端縁に載る一対の脚部とを有し前記フィルタ部を支持する支持シートと
を備えた粉状体抽出用フィルタであって、
前記支持シートの孔の周囲に前記支持シートを前記受け部及び前記一対の脚部からなる３つの部分に折曲げ可能なミシン目又は罫線からなる複数の折曲げガイド線が前記孔の縁から前記支持シートの外縁にわたって形成された
ことを特徴とする粉状体抽出用フィルタ。
【請求項２】
前記フィルタ本体の最大外径が前記孔の内径に相応し、かつ前記折曲げガイド線で前記支持シートを折曲げた状態で前記孔に挿入された前記フィルタ本体を把持するように構成された請求項１記載の粉状体抽出用フィルタ。
【請求項３】
前記支持シートが紙又はプラスチックのいずれか一方又は双方或いは不織布により形成された請求項１又は２記載の粉状体抽出用フィルタ。
【請求項４】
前記脚部の高さｈが、前記フィルタ本体の高さをＨとするとき、０．５Ｈ〜０．８６Ｈである請求項１記載の粉状体抽出用フィルタ。
【考案の詳細な説明】
【技術分野】
【０００１】
本考案は、コーヒー、紅茶、日本茶等の粉状体を入れて、既存の飲料用容器であるカップ（マグカップ等）に載せ、湯や水等の液体を注ぐことによりコーヒー等を抽出するフィルタに関するものである。
【背景技術】
【０００２】
従来、有底筒状のカップ状容器の底面に開口が形成され、このカップ状容器の底面の開口と連通する位置にコーヒー粉末収納部材が配置された簡易ドリップ式コーヒーメーカーが開示されている（例えば、特許文献１参照。）。このコーヒーメーカーでは、カップ状容器が、少なくとも片面に熱可塑性樹脂層を積層した紙基材を加熱プレスで深絞り成形することにより、熱可塑性樹脂層を内面として形成される。また、コーヒー粉末収納部材は、少なくとも片面に熱可塑性樹脂層を積層した紙基材を加熱プレスで深絞り成形することにより、熱可塑性樹脂層を内面とした有底筒状に形成される。また、コーヒー粉末収納部材の上縁には、カップ状容器の底面の開口の周縁部と接着されるフランジが設けられる。更に、コーヒー粉末収納部材の底面には開口が形成され、カップ状容器の底面又はコーヒー粉末収納部材のフランジ上面とコーヒー粉末収納部材の底面とに各開口を覆うように濾紙が貼着され、各濾紙の間にコーヒー粉末が封入される。
【０００３】
このように構成された簡易ドリップ式コーヒーメーカーでは、カップ状容器とコーヒー粉末収納部材の内面がいずれも熱可塑性樹脂層になっているので、湯を注いでも紙基材に浸透することはない。従って、カップ状容器に注いだ湯はカップ状容器の底面に貼着した濾紙を通ってコーヒー粉末収納部材内に入り、そこで浸出したコーヒーがコーヒー粉末収納部材の底面に貼着した濾紙を通って、このコーヒーメーカーを載せたコーヒーカップの中に抽出される。また、上記コーヒーメーカーは、紙として廃棄できるとともに、カップ状容器及びコーヒー粉末収納部材の基材が紙であり、これらを加熱プレスで深絞り成形により形成できるので、簡単かつ安価に製造できる。更に、文字や模様は、深絞り成形前の紙基材に印刷により簡単に施せるので、簡易ドリップ式コーヒーメーカーの意匠性を低コストで向上できるようになっている。
【０００４】
しかし、上記従来の特許文献１に示された簡易ドリップ式コーヒーメーカーでは、カップ状容器の底面に形成された開口にコーヒー粉末収容部材を挿入し、このコーヒー粉末収容部材のフランジをカップ状容器の底面に貼付するため、フランジの幅を比較的広く確保しなければならず、コーヒー粉末収容部材の開口面積が小さくなってしまう問題点があった。このため、カップ状容器に湯を注ぐ直前にコーヒー粉末をコーヒー粉末収容部材に入れるタイプのコーヒーメーカーでは、コーヒー粉末収容部材の開口面積が小さいので、コーヒー粉末を全てコーヒー粉末収容部材内に入れるのが難しい問題点があった。また、上記従来の特許文献１に示された簡易ドリップ式コーヒーメーカーでは、熱可塑性樹脂層を積層した紙基材を加熱プレスで深絞り成形することによりカップ状容器を形成する工程と、熱可塑性樹脂層を積層した紙基材を加熱プレスで深絞り成形することによりコーヒー粉末収納部材を形成する工程と、カップ状容器の底面又はコーヒー粉末収納部材のフランジ上面に開口を覆うように濾紙を貼着する工程と、コーヒー粉末収納部材の底面に開口を覆うように濾紙を貼着する工程と、コーヒー粉末収納部材内にコーヒー粉末を投入する工程と、カップ状容器及びコーヒー粉末収納部材を互いに接着する工程とを含むため、比較的多くの工数を要し、製造コストが増大する問題点があった。また、上記従来の特許文献１に示された簡易ドリップ式コーヒーメーカーでは、コーヒー粉末が封入されているため、賞味期限があり、賞味期限を過ぎると、コーヒー粉末を封入したコーヒーメーカーを廃棄しなければならない問題点もあった。ここで、窒素を封入してパックにすれば、賞味期限は各段に延びるけれども、工数が更に増大する問題点がある。更に、上記従来の特許文献１に示された簡易ドリップ式コーヒーメーカーでは、このコーヒーメーカーをカップ状容器に載せたときに、コーヒーメーカーによりカップ状容器の開口部が殆ど全て塞がれてしまうため、コーヒーメーカーに湯を注いでカップ状容器にどの程度の量のコーヒーが抽出されたか視認できない問題点もあった。
【０００５】
これらの点を解消するために、不織布を一体成形してなる組立式フィルタが開示されている（例えば、特許文献２参照。）。この組立式フィルタは、開口部を有するフィルタ部と、開口部周縁に一体に連接されたシート状支持部とからなる。また、シート状支持部は、フィルタ部を挟んでその両側に形成された一対のスタンド部と、これらのスタンド部を形成する部分の両端中央部に設けられた舌片部とを有する。更に、フィルタ部の開口部の外側周縁に沿いかつフィルタ部を挟んで一対の切込み部がそれぞれ形成され、これらの切込み部の両端からそれぞれシート状支持部の両端に延びるように複数の折曲げ部が形成される。なお、不織布の一体成形は、不織布を成形加工温度（例えば８０〜２３０℃）に加熱した後、金型でプレス成形加工を行うか、雄雌金型、凹凸金型を成形加工温度（例えば８０〜２３０℃）に加熱して、熱プレス成型加工などによって行うことができる。
【０００６】
このように構成された組立式フィルタでは、フィルタ部が容器形状に形成されているため、組立てが容易であり、簡便に使用できるとともに、既存容器を利用してコーヒー等の成分を抽出ができる。また、抽出した液又は量を組立式フィルタのスタンド部から観察できる。更に、不織布で構成されるため、水や熱湯を注いでも変形せず、水洗いして再度使用できるようになっている。
【先行技術文献】
【特許文献】
【０００７】
【特許文献１】特開平０９−２０６２１６号公報（請求項１、段落［０００７］、［０００８］、図２）
【特許文献２】特開平１１−３４２０７７号公報（請求項１、段落［０００７］、［００１８］、図１、図２）
【考案の概要】
【考案が解決しようとする課題】
【０００８】
上記従来の特許文献２に示された組立式フィルタでは、フィルタ部とシート支持部とが１枚の不織布により一体的に形成されており、フィルタ部を熱プレス成型加工等により深絞り成形する必要があるため、比較的厚い不織布を用いなければ、フィルタ部に注いだ湯の滞留時間を確保できない。このため、上記従来の特許文献２に示された組立式フィルタでは、シート支持部の剛性が大き過ぎて、シート支持部の一対のスタンド部を折曲げ部で折曲げても、所望の折曲げ角度を維持できず、一対のスタンド部が互いに離れようとする反発力が発生して、フィルタがコーヒーカップから離脱してしまうおそれがあった。また、上記従来の特許文献２に示された組立式フィルタでは、シート支持部がフィルタ部と一体的に形成されているため、シート支持部の形状及びデザインが制約される問題点もあった。
【０００９】
本考案の第１の目的は、支持シートをフィルタ部と別部材で形成することにより、フィルタ部の開口面積を広く確保できるとともに、フィルタ部に注いだ湯や水等の液体の滞留時間を確保でき、更に支持シートの一対の脚部を所望の折曲げ角度に維持できる、粉状体抽出用フィルタを提供することにある。本発明の第２の目的は、支持シートをフィルタ部と別部材で形成することにより、支持シートの形状及びデザインを比較的自由に設計できる、粉状体抽出用フィルタを提供することにある。本発明の第３の目的は、支持シートとフィルタ部とが別部材であっても、容易に組立てることができるとともに、簡便に使用できる、粉状体抽出用フィルタを提供することにある。本発明の第４の目的は、支持シートの孔に挿入したフィルタ本体が意図せずに孔から抜けるのを抑制又は確実に防止できる、粉状体抽出用フィルタを提供することにある。本発明の第５の目的は、使用後の廃棄処分を容易に行うことができるとともに、湯や水等の液体を注ぐことにより粉状体から抽出されてカップに溜まったコーヒー等の液量を容易に確認できる、粉状体抽出用フィルタを提供することにある。
【課題を解決するための手段】
【００１０】
本考案の第１の観点は、図１〜図４に示すように、上面に開口部１１ｃが形成された椀状のフィルタ本体１１ａとこのフィルタ本体１１ａの開口部１１ｃ周縁に一体的に設けられたフランジ１１ｂとを有し不織布の熱成形により形成されたフィルタ部１１と、フィルタ本体１１ａを挿入可能な孔１２ａとフィルタ本体１１ａを孔１２ａに挿入した状態でフランジ１１ｂを受ける受け部１２ｂとカップ１３の上端縁に載る一対の脚部１２ｃ，１２ｃとを有しフィルタ部１１を支持する支持シート１２とを備えた粉状体抽出用フィルタ１０であって、支持シート１２の孔１２ａの周囲に支持シート１２を受け部１２ｂ及び一対の脚部１２ｃ，１２ｃからなる３つの部分に折曲げ可能なミシン目又は罫線からなる複数の折曲げガイド線１２ｄが孔１２ａの縁から支持シート１２の外縁にわたって形成されたことを特徴とする。
【００１１】
本考案の第２の観点は、第１の観点に基づく考案であって、更に図２〜図４に示すように、フィルタ本体１１ａの最大外径が孔１２ａの内径に相応し、かつ折曲げガイド線１２ｄで支持シート１２を折曲げた状態で孔１２ａに挿入されたフィルタ本体１１ａを把持するように構成されたことを特徴とする。
【００１２】
本考案の第３の観点は、第１又は第２の観点に基づく考案であって、更に図５に示すように、支持シート１２が紙又はプラスチックのいずれか一方又は双方或いは不織布により形成されたことを特徴とする。
【００１３】
本考案の第４の観点は、第１の観点に基づく考案であって、更に図２に示すように、脚部１２ｃの高さｈが、フィルタ本体１１ａの高さをＨとするとき、０．５Ｈ〜０．８６Ｈであることを特徴とする。
【考案の効果】
【００１４】
本考案の第１の観点の粉状体抽出用フィルタでは、フィルタ部を不織布の熱成形で形成したので、フィルタ部に注いだ湯や水等の液体の滞留時間を確保できる。また、支持シートをミシン目又は罫線からなる折曲げガイド線で折曲げ可能に形成したので、支持シートの一対の脚部を所望の折曲げ角度にほぼ維持できる。この結果、一対の脚部が互いに離れようとする反発力が発生しないので、この反発力によりフィルタがカップから離脱することはない。また、支持シートをフィルタ部と別部材で形成したので、支持シートの形状及びデザインを比較的自由に設計できるとともに、フィルタ部のフランジを支持シートの受け部に貼付する必要がなく、フランジが支持シートの孔から抜け落ちない程度の必要最小限の幅にフランジの幅を設定すればよい。このため、フィルタ部の開口部の開口面積を広く確保できるので、コーヒー等の粉状体を開口部からフィルタ本体に入れるときに、粉状体が開口部の縁からこぼれることなく、粉状体をフィルタ本体に容易に入れることができる。更に、支持シートの複数の折曲げガイド線で受け部及び一対の脚部からなる３つの部分に折曲げた後に、支持シートの孔にフィルタ本体を挿入するだけで組立てることができ、この組立てたフィルタをカップに載せるだけで使用できる。この結果、支持シートとフィルタ部とが別部材であっても、容易に組立てることができるとともに、簡便に使用できる。
【００１５】
本考案の第２の観点の粉状体抽出用フィルタでは、フィルタ本体の最大外径が孔の内径に相応し、かつ折曲げガイド線で支持シートを折曲げた状態で孔に挿入されたフィルタ本体を把持するので、フィルタ本体が意図せずに孔から抜けるのを抑制できる。
【００１６】
本考案の第３の観点の粉状体抽出用フィルタでは、支持シートを紙又はプラスチックのいずれか一方又は双方或いは不織布により形成したので、使用後のフィルタを容易に廃棄処分できる。
【００１７】
本考案の第４の観点の粉状体抽出用フィルタでは、脚部の高さｈが、フィルタ本体の高さをＨとするとき、０．５Ｈ〜０．８６Ｈであるので、フィルタ本体が支持シートにより比較的高い位置で支持される。この結果、一対の脚部の間からカップ内を視認できるので、カップに溜まったコーヒー等の液量を容易に確認できる。
【図面の簡単な説明】
【００１８】
【図１】本考案第１実施形態の粉状体抽出用フィルタをカップに載せる直前の状態を示す分解斜視図である。
【図２】そのフィルタをカップに載せた状態を示す図４のＡ−Ａ線断面図である。
【図３】そのフィルタをカップに載せた状態を図４のＢ矢視方向から見た斜視図である。
【図４】そのフィルタをカップに載せた状態を図３のＣ矢視方向から見た斜視図である。
【図５】（ａ）は支持シートを折曲げる前の状態を示す平面図であり、（ｂ）は支持シートを折曲げた後の状態を示す斜視図である。
【図６】本考案第２実施形態の粉状体抽出用フィルタをカップに載せる直前の状態を示す図１に対応する断面図である。
【考案を実施するための形態】
【００１９】
次に本考案を実施するための形態を図面に基づいて説明する。
【００２０】
＜第１の実施の形態＞
図１及び図２に示すように、粉状体抽出用フィルタ１０は、不織布の熱成形により形成されたフィルタ部１１と、このフィルタ部１１を支持する支持シート１２とを備える。上記フィルタ部１１は、上面に開口部１１ｃが形成された椀状のフィルタ本体１１ａと、このフィルタ本体１１ａの開口部１１ｃ周縁に一体的に設けられたフランジ１１ｂとを有する。フィルタ本体１１ａは、外径が底部から上方に向うに従って次第に大きくなる有底円筒状に形成され、フランジ１１ｂはフィルタ本体１１ａの上端外周縁にリング状に形成される。また、フィルタ本体１１ａの最大外径（上端における外径）は４０〜８０ｍｍの範囲内に形成されることが好ましく、フィルタ本体１１ａの高さは４０〜７０ｍｍの範囲内に形成されることが好ましく、リング状のフランジ１１ｂの幅は５〜１０ｍｍの範囲内に形成されることが好ましい。
【００２１】
上記フィルタ部１１の素材である不織布は、成型加工温度（例えば８０〜２３０℃）での引張り伸び（破断伸度）が５０％以上であることが好ましく、７０〜４００％であることがより好ましい。また、不織布を構成する繊維としては、ポリエステル繊維、ポリオレフィン繊維、ポリアミド繊維、或いはこれらの複合繊維又はこれらの共重合繊維などが挙げられる。また、不織布の目付は、５０〜３００ｇ／ｍ2であることが好ましく、１００〜２５０ｇ／ｍ2程度であることがより好ましい。更に、不織布の平均繊維直径は、０．０１〜２０デニールであることが好ましく、０．５〜１０デニールであることがより好ましい。
【００２２】
不織布の熱成形方法としては、不織布を成形加工温度（例えば６０〜２３０℃）に加熱した状態でこの不織布を金型でプレス成形する方法や、金型を成形加工温度（例えば６０〜２３０℃）に加熱した状態でこの金型で不織布を延伸成形する方法等が挙げられる。また、フィルタ本体１１ａの通液性及び好水性などを調整する目的で不織布に樹脂等を塗布処理してもよい。この樹脂等としては、食品衛生法の規制を満足する素材であれば使用可能である。例えば、ショ糖、カルボキシメチルセルロース、ショ糖脂肪酸エステル、ポリグリセリン脂肪酸エステル、ソルビタン脂肪酸エステル、脂肪酸エステル、シリコーン系樹脂、シリコーン系オイルなどが挙げられる。
【００２３】
一方、支持シート１２は、フィルタ本体１１ａを挿入可能な孔１２ａと、フィルタ本体１１ａを孔１２ａに挿入した状態でフランジ１１ｂを受ける受け部１２ｂと、カップ１３の上端縁に載る一対の脚部１２ｃ，１２ｃとを有する（図１、図２及び図５）。支持シート１２の素材としては、目付が７５〜３００ｇ／ｍ2の範囲内のコートボール等の厚紙が用いられることが好ましく、この厚紙の少なくとも片面には、防水性を向上するために、防水塗料のスプレー又は塗布や、ポリエチレンやポリプロピレン等のプラスチック製フィルムを貼合せるラミネート加工が施されることが好ましい。なお、支持シート１２を作製するための原紙（素材）の断裁加工で生じた断裁面から水が支持シート１２内部に侵入するおそれがあり、この断裁面からの水の侵入を抑制するために、断裁面に樹脂を塗布したり、或いは支持シート１２の原紙（素材）自体に耐水処理を施すことが好ましい。また、支持シート１２の幅は、フィルタ部１１のフランジ１１ｂの外径より大きく形成される（図１及び図５）。具体的には、支持シート１２の幅は７０〜１００ｍｍの範囲内に形成されることが好ましい。更に、支持シート１２の孔１２ａは、フィルタ本体１１ａの最大外径、即ちフィルタ本体１１ａ上端における外径に相応する内径を有する（図１及び図２）。具体的には、支持シート１２の孔１２ａの内径は、フィルタ本体１１ａの最大外径と同一に形成されるか、或いは１〜２ｍｍ程度大きく形成される。ここで、支持シート１２の素材の目付の好ましい範囲を７５〜３００ｇ／ｍ2の範囲内に限定したのは、７５ｇ／ｍ2未満では支持シート１２としての強度を確保できず、３００ｇ／ｍ2を超えると所定の角度に折曲げることが難しく、かつコストが増大してしまうからである。また、支持シート１２の幅の好ましい範囲を７０〜１００ｍｍの範囲内に限定したのは、７０ｍｍ未満では孔１２ａにフィルタ本体１１を挿入したときにフランジ１１ｂを受ける受け部１２ｂの幅が狭くなって支持シート１２としての強度を確保できず、１００ｍｍを超えると支持シート１２としての強度を確保するために素材自体を強化する必要があり、素材を必要以上に使用するためコストが増大してしまうからである。
【００２４】
支持シート１２の孔１２ａの周囲には複数の折曲げガイド線１２ｄが形成される（図５）。これらの折曲げガイド線１２ｄは、支持シート１２を受け部１２ｂ及び一対の脚部１２ｃ，１２ｃからなる３つの部分に折曲げ可能に、孔１２ａの縁から支持シート１２の外縁にわたってそれぞれ形成される。この実施の形態では、折曲げガイド線１２ｄはミシン目により４本形成される。折曲げガイド線１２ｄをミシン目とすることにより、折曲げガイド線１２ｄに沿って、即ちミシン目に沿って、支持シート１２を容易に折曲げ可能になっている。また、４本の折曲げガイド線１２ｄのうち２本の折曲げガイド線１２ｄ，１２ｄは、孔１２ａの縁から一方の外側縁に向うに従って僅かに外側に湾曲しながら互いに近付く略ハの字状に形成され、残りの２本の折曲げガイド線１２ｄ，１２ｄは、孔１２ａの縁から他方の外側縁に向うに従って僅かに外側に湾曲しながら互いに近付く略逆ハの字状に形成される。４本の折曲げガイド線１２ｄを上記のような形状としたのは、次の２つの理由に基づく。第１の理由は、支持シート１２を４本の折曲げガイド線１２ｄで折曲げたときに、一対の脚部１２ｃ，１２ｃが外側に僅かに湾曲することにより、孔１２ａに挿入されたフィルタ本体１１ａの外周面が一対の脚部１２ｃ，１２ｃにより抱き抱えられるようにするため、即ち折曲げガイド線１２ｄで支持シート１２を折曲げた状態で、孔１２ａに挿入されたフィルタ本体１１ａが一対の脚部１２ｃ，１２ｃの上縁（孔１２ａの周縁の一部）により把持されるようにするためである。第２に理由は、受け部１２ｂが孔１２ａにより２つに分割されかつ孔１２ａを中心として互いに対向する２つの受け部１２ｂ，１２ｂを孔１２ａに向うに従って下方にそれぞれ傾斜させることにより、孔に挿入されたフィルタ本体を安定した状態で支持するためである（図１及び図２）。更に、支持シート１２をフィルタ部１１と別部材で形成したので、支持シート１２の形状及びデザインを比較的自由に設計できるとともに、フィルタ部１１のフランジ１１ｂを支持シート１２の受け部１２ｂに貼付する必要がなく、フランジ１１ｂが支持シート１２の孔１２ａから抜け落ちない程度の必要最小限の幅にフランジ１１ｂの幅を設定すればよい。このため、フィルタ部１１の開口部１１ｃの開口面積を広く確保できるので、コーヒー等の粉状体を開口部１１ｃからフィルタ本体１１ａに入れるときに、粉状体が開口部１１ｃの縁からこぼれることなく、粉状体をフィルタ本体１１ａに容易に入れることができる。
【００２５】
また、支持シート１２の脚部１２ｃの下端には、単一の中央係止片１２ｅ及び一対の端部係止片１２ｆ，１２ｆがそれぞれ突設される（図１、図２及び図５）。単一の中央係止片１２ｅは脚部１２ｃの幅方向の中央から突設され、一対の端部係止片１２ｆ，１２ｆは脚部１２ｃの幅方向の両端部からそれぞれ突設される。これらの係止片１２ｅ，１２ｆは脚部１２ｃと一体的に設けられる（図５）。中央係止片１２ｅがカップ１３内に臨み、一対の端部係止片１２ｆ，１２ｆがカップ１３の外側に位置するように、４本の折曲げガイド線１２ｄで折曲げた支持シート１２がカップ１３に載せられる（図２〜図４）。これにより支持シート１２がカップ１３から離脱し難くなり、カップ１３に安定した状態で載るようになっている。なお、一対の端部係止片１２ｆ，１２ｆの高さをｄとし、単一の中央係止片１２ｅの高さをＤとするとき、ｄ＜Ｄの関係を満たすように設定されることが好ましい。また、ｄを５ｍｍ≦ｄ≦２０ｍｍの範囲内にし、Ｄを７．５ｍｍ≦Ｄ≦４０ｍｍの範囲内にすると、Ｄは１．５ｄ≦Ｄ≦２．０ｄの範囲に設定されることが更に好ましい。この関係式『１．５ｄ≦Ｄ≦２．０ｄ』から、ｄが下限値の５ｍｍであるとき、Ｄが７．５〜１０ｍｍと適切な範囲になり、ｄが上限値の２０ｍｍであるとき、Ｄが３０〜４０ｍｍと適切な範囲になる。上記ｄ及びＤを上記の範囲内に設定することにより、一対の脚部１２ｃ，１２ｃが互いに離れようとする反発力を抑制できるので、この反発力によるフィルタ１１のカップ１３からの離脱をより効果的に防止できる。
【００２６】
更に、支持シート１２の脚部１２ｃの高さｈ、即ち脚部１２ｃの下縁から受け部１２ｂのうち最も低い部分までの高さｈ（図５（ａ））は、フィルタ本体１１ａの高さをＨ（図２）とするとき、０．５Ｈ〜０．８６Ｈの範囲内に設定されることが好ましい。ここで、上記高さｈを０．５Ｈ〜０．８６Ｈの範囲内に限定したのは、０．５Ｈ未満ではフィルタ本体１１ａが支持シート１２により比較的低い位置で支持されるため、一対の脚部１２ｃ，１２ｃの間からカップ１３内を視認できず、カップ１３に溜まったコーヒー等の液量を確認できず、０．８６Ｈを超えるとフィルタ本体１１ａが支持シート１２によりかなり高い位置で支持されるため、支持シート１２がフィルタ本体１１ａを安定して支持できないからである。なお、フィルタ本体１１ａの好ましい高さＨの範囲は４０〜７０ｍｍであるため、Ｈが下限値の４０ｍｍであるとき、支持シート１２の脚部１２ｃの高さｈを２０〜２４ｍｍの範囲内に設定すると、ｈ／Ｈが０．５０〜０．６０となり、Ｈが上限値の７０ｍｍであるとき、支持シート１２の脚部１２ｃの高さｈを４０〜６０ｍｍの範囲内に設定すると、ｈ／Ｈが０．５７〜０．８６となる。従って、支持シート１２の脚部１２ｃの高さｈを０．５Ｈ〜０．８６Ｈの範囲内に限定した。
【００２７】
このように構成された粉状体抽出用フィルタ１０の組立手順を説明する。先ず、支持シート１２を４本の折曲げガイド線１２ｄに沿って受け部１２ｂ及び一対の脚部１２ｃ，１２ｃからなる３つの部分に折曲げることにより、支持シート１２を門型に変形させる（図１及び図５（ｂ））。このとき、折曲げガイド線１２ｄがミシン目であるので、支持シート１２の一対の脚部１２ｃ，１２ｃを所望の折曲げ角度に維持できる。次に、支持シート１２の孔１２ａにフィルタ本体１１ａを挿入する。更に、孔１２ａにフィルタ本体１１ａを挿入した状態で支持シート１２をカップ１３に載せる。このとき、フィルタ本体１１ａの最大外径が孔１２ａの内径に相応し、かつ折曲げガイド線１２ｄで支持シート１２を折曲げた状態で孔１２ａに挿入されたフィルタ本体１１ａを把持するので、フィルタ本体１１ａが意図せずに孔１２ａから抜けるのを抑制できる（図３及び図４）。このような簡単な作業でフィルタ１０を組立ててカップ１３に載せることができる。
【００２８】
このように組立てられたフィルタ１０の使用方法を説明する。先ず、コーヒー、紅茶、日本茶等の粉状体をフィルタ本体１１ａに所定量だけ入れる。次に、このフィルタ本体１１ａに湯や水等の液体を注ぐ。このとき、フィルタ部１１を不織布の熱成形で形成したので、フィルタ部１１に注いだ湯や水等の液体の滞留時間を確保できる。また、湯や水等の液体を注いでもフィルタ本体１１ａが変形することはなく、液体中の粉状体がフィルタ本体１１ａを通過することもない。そして、フィルタ本体１１ａ内の粉状体から抽出されたコーヒー等がフィルタ本体１１ａを通過してカップ１３内に滴下される。このとき、脚部１２ｃの高さｈ（図５（ａ））がフィルタ本体１１ａの高さＨ（図２）に対して０．５Ｈ〜０．８６Ｈの範囲内であり、フィルタ本体１１ａが支持シート１２により比較的高い位置で支持されているので、一対の脚部１２ｃ，１２ｃの間からカップ１３内を視認でき、カップ１３に溜まったコーヒー等の液量を容易に確認できる。コーヒー等を淹れ終わった後のフィルタ１０は、フィルタ部１１を不織布で形成し、支持シート１２をプラスチック製フィルムのラミネート加工された厚紙などで形成したので、そのまま家庭ゴミ等として廃棄できる。なお、コーヒー等の粉状体の臭いがフィルタ部１１に移り難いので、フィルタ部１１を水洗することにより、フィルタ１０を複数回使用することができる。
【００２９】
＜第２の実施の形態＞
図６は本考案の第２の実施の形態を示す。図６において図１と同一符号は同一部品を示す。この実施の形態では、支持シート３２の脚部３２ｃの下端に、単一の中央係止片３２ｅのみが突設され、第１の実施の形態の一対の端部係止片は突設されない。単一の中央係止片３２ｅは脚部３２ｃの幅方向の中央から突設される。そして単一の中央係止片３２ｅはカップ１３内に臨み、単一の中央係止片３２ｅの両側の脚部３２ｃの下縁がカップ１３の上縁に載るように、４本の折曲げガイド線１２ｄで折曲げた支持シート３２がカップ１３に載せられる。上記以外は第１の実施の形態と同一に構成される。
【００３０】
このように構成された粉状体抽出用フィルタ３０では、支持シート３２の脚部３２ｃの下端に、単一の中央係止片３２ｅのみが突設され、第１の実施の形態の一対の端部係止片は突設されていないので、４本の折曲げガイド線１２ｄで折曲げた支持シート３２の一対の脚部３２ｃ下端にそれぞれ突設された一対の中央係止片３２ｅをカップ１３内に臨むように、カップ１３に載せるだけで済むため、支持ート３２をカップ１３に容易に載せることができる。上記以外のフィルタの組立方法及び使用方法は、第１の実施の形態と略同様であるので、繰り返し説明を省略する。
【００３１】
なお、上記第１及び第２の実施の形態では、厚紙の少なくとも片面に、防水性を向上するために、防水塗料のスプレー又は塗布や、ポリエチレンやポリプロピレン等のプラスチック製フィルムを貼合せるラミネート加工を施したが、厚紙のみ、又はプラスチックフィルムのみで支持シートを形成してもよく、或いは不織布で支持シートを形成してもよい。また、上記第１及び第２の実施の形態では、折曲げガイド線をミシン目としたが、折曲げガイド線を罫線としてもよい。ここで、罫線とは、厚紙の折曲げ部に沿って予め形成された凹溝線やハーフカットの線（厚紙の半分程度の深さの切れ目）をいい、この罫線に沿って支持シートを容易に折曲げることができる。
【符号の説明】
【００３２】
１０，３０  粉状体抽出用フィルタ
１１  フィルタ部
１１ａ  フィルタ本体
１１ｂ  フランジ
１１ｃ  開口部
１２，３２  支持シート
１２ａ  孔
１２ｂ  受け部
１２ｃ，３２ｃ  脚部
１２ｄ  折曲げガイド線
【図１】
0003205496.tif 000003
【図２】
0003205496.tif 000004
【図３】
0003205496.tif 000005
【図４】
0003205496.tif 000006
【図５】
0003205496.tif 000007
【図６】
0003205496.tif 000008